(57)【要約】      （修正有）【課題】表示部及び表示内容と、テープカッター機能部の意匠が互いに、同一空間内で視覚的影響を及ぼすことなく、それぞれの表示性と意匠性を共に向上させ、且つ機能面において、縦置き表示とホールド性（把持機能）に配慮した、テープカッター機能部を有する表示具を提供する。【解決手段】表示体１の背面側に、テープカッター機能部を設け、更に、横置き使用、縦置き使用、両方の使用パターンに対応する、支持スタンド部４を具備させる。前記支持スタンド部４の背面側突出面が、前記表示具背面視において、線状の意匠構成部として視覚される形態をしている。また、前記支持スタンド部が、テープカット作業時においては、前記表示具本体を、安定的にホールド（保持）するための把持部としての役目を果たす。【選択図】図２
2010271681.tif 000002
【特許請求の範囲】
【請求項１】
表示体の背面側に、テープカッターの機能をもたらす、テープカッター機能部を設け、更に、横置き使用、縦置き使用、両方の使用パターンに対応する、支持スタンド部を具備させた、ことを特徴とする表示具。
【請求項２】
前記支持スタンド部の背面側突出面が、前記表示具背面視において、線状の意匠構成部として視覚される形態をしている、ことを特徴とする前記請求項１記載の表示具。
【請求項３】
前記支持スタンド部が、テープカット作業時においては、前記表示具本体を、安定的にホールド（保持）するための把持部としての役目を果たす、ことを特徴とする前記請求項１及び２記載の表示具。
【発明の詳細な説明】
【技術分野】
【０００１】  本発明は、テープカッター機能部を有する卓上表示具に関するものである。
【背景技術】
【０００２】  従来より、本体表面に、企業名や広告事項を印し、ＰＲ活動に活用される販促用のテープカッターが、様々提供されてきた。（特許文献１〜３参照）【０００３】  また、表示に適した、矩形の平面板部を有するテープカッターに関する発明が、特許文献に開示されている。（特許文献４、５参照）
【先行技術文献】
【特許文献】
【０００４】
【特許文献１】  意匠登録１３４７８８８号
【特許文献２】  意匠登録１０７７０１号
【特許文献３】  意匠登録１１８６９０２号
【特許文献４】  実用新案公開Ｓ６３−１２６３６６号
【特許文献５】  実用新案公開Ｈ０４−２２４６０号
【発明の概要】
【発明が解決しようとする課題】
【０００５】  広告宣伝、及びその他の表示は、通常、各種紙媒体、液晶ディスプレイ等、専用の表示媒体により、独立した表示物（広告ポスター、宣伝チラシ、広告ＰＯＰ、写真、絵等）として実施される。
表示媒体の形態は、レイアウト性、視認性、規格性などの要件上、凹凸感の無い、シンプルで平面的な角形、主に矩形の形態が好適とされる。【０００６】  一方、販促品の場合は、ボールペン、時計、マグネット品等、様々な生活実用品のボティーに対して、表示行為（名入れ）が実施される。
専用の表示媒体とは異なり、各物品のボディーが表示媒体となるため、物品独自の形態、意匠と一体化した中で、表示内容が視覚される。
よって次のような問題がある。【０００７】  対象視覚時における図（対象）と地（背景）の関係において、表示内容が、物品の形態性、意匠性、に視覚的影響を受けやすい。
物品の意匠性が強いと、相対的に、表示内容に対する印象が福次的になる。
また逆に、物品意匠が、表示内容により視覚的影響を受け、意匠的美感を損なう、という問題が生じる。【０００８】  本来、図となる表示内容を目立たせるためには、背景は、紙媒体のように、意匠性を持たない単純な形態が好適であるが、販促品の場合は、商品としての意匠性も求められる。
即ち、表示物としての、単純定形性と、商品差別効果のある意匠性、両方の要素が求められる。【０００９】  しかし、人間の視覚においては、図（対象）と地（背景）を、同時に視覚することはできない、という視覚特性があるので、同一空間で、どちらかを目立たせるためには、一方を背景とする必要がある。【００１０】  また、販促品は、専用の表示媒体ではないので、表示スペース、表示場所が制約され、表示レイアウトに関して自由度が小さい。【００１１】  さらに、販促品における表示（名入れ）は、通常の、自社の製品に対する商標表示のような、必然性のある表示行為（ブランド化）ではないので、時に、恣意的な印象を与える。【００１２】  このように、販促品の場合、表示内容と物品意匠性が、互いに影響し合うので、純粋な表示物、物品意匠として、視認、評価されにくい面がある。【００１３】  特許文献１〜３に開示された、意匠登録１３４７８８８号、意匠登録１０７７０１号、意匠登録１１８６９０２号の各テープカッターの場合も、同様の門題を有する。
略同サイズで、純粋な表示媒体である名刺、カードと比較すると、表示スペース、視認性などの点において劣る。（図２２参照）
また、基本形状（矩形）ではなく、テープカッター独自の意匠形態をを背景に表示内容が視覚される。【００１４】  よって、表示内容が、テープカッターの形態、意匠に制約を受けず、独立したかたちで視覚される、テープカッター機能部を有する表示具が望まれる。【００１５】  特許文献４（実開Ｓ６３−１２６３６６号）の第４図、及び特許文献５（実開Ｈ０４−２２４６０号）の第１図に開示されたテープカッターは、どちらも、表示に適した、単純な矩形状の側面板を有している。【００１６】  しかし、次のような問題点がある。【００１７】  ▲１▼意匠性に係わる課題点。
単純な矩形の平面板（側面板）は、レイアウト性、視認性の点で、表示面に適している。
しかし、反面、矩形は基本形状であるので、テープカッターボディーの基部に用いた場合、縦幅横幅の比率変更以外、意匠展開ができない、という問題がある。【００１８】  特許文献４及び５に開示されたテープカッターの場合、いずれも、矩形の側面板がテープカッターの基部となっており、側面板の裏側には、テープホルダー部とテープ切断部のみが設けられた、シンプルな構成になっている。【００１９】  看者が、テープカッターを裏側から視覚した時、視覚される形態部は、側面板、テープホルダー部、切断部、のみである。
その際、テープカッターの機能部である、テープホルダー部と切断部は、側面板の、矩形状輪郭線の中に収まって見える。【００２０】  各部の形態において、部分的な差異点は見られるものの、テープカッター全体の印象としては、略同一の矩形状のテープカッターとして視覚され、極めて類似した印象を与える。（図２３参照）【００２１】  このように、基本形状である矩形の平面板を基部、基板として用いた場合、レイアウト性、視認性が向上するというメリットが得られる反面、意匠展開の自由度が限定され、意匠面での商品差別化が難しい、という問題がある。【００２２】  ▲２▼表示パターン、表示機能に係わる課題点。【００２３】  ところで、大量に配布される販促品の場合、配布性、携帯性、卓上での省スペース性等の都合を考慮し、扱い易い、軽量小型のコンパクトサイズのものが望まれる。【００２４】  しかし、特許文献４及び５開示のテープカッターを、小サイズで実施した場合、例えば名刺サイズであれば、横長、横置き表示パターンでは、縦方向の表示幅が５センチ程度に制約される。
そのため、最適なかたちでの表示表現が出来ないケースが出てくる。【００２５】  例えば、人の全身写真、上半身の写真、顔のアップの写真等、横長、横置き表示では表示スペースに収まらない表示表現の場合がある。
サイズ的に収めようとすると小さく見にくくなってしまう。（図２４参照））
他にも、標語、川柳、俳句的表現等、縦書き、縦長表示が望ましい表示表現のパターンがある。【００２６】  よって、名刺サイズのようなコンパクトサイズでの実施においては、多様な表示表現に対応する、縦長、縦置き表示を可能にする形態が望ましい。【００２７】  特許文献４及び５開示のテープカッターの場合、縦置き表示での使用に対応する形態にはなっていない。【００２８】  ▲３▼ホールド性に係わる課題点。
コンパクトサイズで実施されたテープカッターの場合、テープカット作業時において、引き出されたテープの先端部をカットする際、本体を、一方の手で、垂直方向から、挟み持つかたちで保持し、他方の手で、テープ先端部をカットする、というかたちをとるため、本体をホールドするための把持用の構成部が不可欠となる。【００２９】  特許文献４、５に開示された両テープカッターは、本体を垂直方向から挟み持つための把持用の構成部を持たないため、コンパクトサイズで実施した場合、テープカット作業を安定的に行えない、という不便が生じる。【００３０】  そこで、以上の課題点をふまえ、表示内容と、テープカッター機能部が互いに、同一空間内で視覚的影響を及ぼすことなく、それぞれの表示性と意匠性を共に向上させ、且つ機能面において、縦置き表示とホールド性（把持機能）に配慮した、テープカッター機能部を有する表示具を提供する。
【課題を解決するための手段】
【００３１】  本発明は、上記目的を達成するために、請求項１記載の発明は、
表示体の背面側に、テープカッターの機能をもたらす、テープカッター機能部を設け、更に、横置き使用、縦置き使用、両方の使用パターンに対応する、支持スタンド部を具備させた、ことを特徴とする表示具を提供する。【００３２】  本発明の請求項２記載の発明は、
前記支持スタンド部の背面側突出面が、前記表示具背面視において、線状の意匠構成部として視覚される形態をしている、ことを特徴とする前記請求項１記載の表示具を提供する。【００３３】  本発明の請求項３記載の発明は、
前記支持スタンド部が、テープカット作業時においては、前記表示具本体を、安定的にホールド（保持）するための把持部としての役目を果たす、ことを特徴とする前記請求項１及び２記載の表示具を提供する。
【発明の効果】
【００３４】  本発明は、上記のように構成したことにより、次の効果をもたらす。
▲１▼表示体の形態と、テープカッター機能部の形態が、正面と背面、即ち表裏の関係で、視覚印象において、分離独立したかたちになり、表示内容がテープカッターの形態性に視覚的影響を受けず、独立したかたちで視覚される。
即ち、視認性が向上する。
▲２▼背面側に設けた支持スタンド部の、連続する背面側突出面が、線状の意匠構成部として視覚され、テープカッター機能部に対し、独自の意匠性を付与し、表示体から独立した形態を印象づける。
この意匠的美感創出効果により、商品差別化に貢献する。
▲３▼支持スタンド部を設けたことにより、横置き、縦置き、両方の表示パターンが可能になり、名刺サイズのように、表示スペースが小さく、限定される実施パターンにおいて、表示、表現の多様性に対応できる。
▲４▼支持スタンド部の上面部と底面部が、テープカット作業時において、把持部としての役目を果たし、本体を垂直方向から挟み持つことを可能にし、コンパクトサイズでの実施においても、スムーズ且つ安定的にテープカット作業が行える。
【図面の簡単な説明】
【００３５】
【図１】  第一の実施例の正面図である。
【図２】  第一の実施例の背面図である。
【図３】  第一の実施例の底面図である。
【図４】  第一の実施例の平面図である。
【図５】  第一の実施例の右側面図である。
【図６】  第一の実施例の左側面図である。
【図７】  第一の実施例のＡ−Ａ断面図である。
【図８】  第二の実施例の正面図である。
【図９】  第二の実施例の背面図である。
【図１０】  第三の実施例の背面図である。
【図１１】  第四の実施例の正面図である。
【図１２】  第四の実施例の平面図である。
【図１３】  第四の実施例の右側面図である。
【図１４】  第四の実施例の左側面図である。
【図１５】  第四の実施例の背面図である。
【図１６】  第五の実施例の背面図である。
【図１７】  第五の実施例の左側面図である。
【図１８】  第六の実施例の背面図である。
【図１９】  第六の実施例の左側面図である。
【図２０】  第六の実施例の右側面図である。
【図２１】  第六の実施例の平面図である。
【図２２】  表示スペースに関する説明参考図である。
【図２３】  特許文献４と５の意匠的類似性に関する説明参考図である。
【図２４】  構置き表示の課題に関する説明参考図である。
【図２５】  縦置き表示での使用パターンに関する説明参考図である。
【図２６】  テープカット作業時のホールド性に関する説明参考図である。
【図２７】  支持スタンド部の意匠的効果に関する説明参考図１である。
【図２８】  支持スタンド部の意匠的効果に関する説明参考図２である。
【図２９】  支持スタンド部の意匠的効果に関する説明参考図３である。
【発明を実施するための形態】
【００３６】  以下、本発明の実施の形態を、図１〜図２９に基づいて説明する。
【００３７】  図１、図２、図３、図４、図５、図６は、第一実施例の、それぞれ、正面図、背面図、底面図、平面図、右側面図、左側面図を表している。
図７は、図２の、Ａ−Ａ断面図である。
【００３８】  図１〜７において第一実施例の基本的構成を説明する。
【００３９】  図１の１は、矩形の表示体である。
広告宣伝に係わる事項や、写真、絵などを表示するためのものである。
図２は、前記表示体１の背面側を表している。
前記表示体１の背面側には、テープカッター機能部と支持スタンド部４が設けられている。
【００４０】  両機能部の構成を説明する。
前記テープカッター機能部は、前記表示体１の背面側に、背面視前記表示体１右辺寄りに、粘着テープ体支持部２ａと、前記粘着テープ体支持部２ａに対し着脱自在に嵌合される、粘着テープ体脱落防止用の蓋体２ｂ、とから成るテープホルダー部２を設けてある。（図２、図７参照）
また、背面視前記表示板１左辺に沿って、該左辺の略中間に、前記粘着テープ体支持部２ａに回転自在に保持される粘着テープ体から引き出される粘着テープ先端部を切断するための切断刃３ａを有する下向きコの字状の切断部３を設けてある。
以上の構成により、テープカット機能を果たす。
【００４１】  前記支持スタンド部４は、背面視前記表示体１の上辺略中間より右側に上面板Ｕを設け、背面視前記表示板１右辺に沿って第一の側面板１Ｓを設け、背面視前記表示板１下辺に沿って底面板Ｂを設け、背面視前記表示板１左辺の下端部より該左辺の略中間位置に向け第二の側面板２Ｓを設け、前記第二の側面板２Ｓの上端部は、前記切断部３の背面視左下端部３ｂと一体化した状態で形成されている。
以上のように構成されている。
【００４２】  この様に、複数の板体から構成される前記支持スタンド部４は、前記表示体１を横置き使用する際には、前記第一の側面板１Ｓと、前記底面板Ｂと、前記第二の側面板２が、横置き用支持スタンド部としての機能を果たし、また、前記表示体１を縦置き使用する際には、前記上面板Ｕと、前記第一の側面板１Ｓと、前記底面板Ｂが、縦置き用支持スタンド部としての機能を果たし（図２５参照）、縦置き、横置き両方の使用パターンを可能とする。
【００４３】  また、前記支持スタンド部の上面部と底面部が、テープカット作業時において、把持部としての役目を果たし、本体を垂直方向から挟み持つことを可能にし、コンパクトサイズでの実施においても、安定的にテープカット作業が行える。（図２６参照）
【００４４】  更に、前記支持スタンド部の、連続する背面側突出面４ｃは意匠構成部を兼ねる。
前記支持スタンド部４を構成する各板体部は同一の厚み幅を有し、背面視において、互いに連続する線状の意匠構成部として視覚され、意匠的美感創出に貢献する。
【００４５】  前記背面側突出面４ｃを、着色用線状面とし、着色を実施することにより、背面視において視覚される前記表示板１の矩形の輪郭線よりも、明確で印象的な輪郭線として視覚され、テープカッター機能部に対し、独自の意匠性を付与する。
【００４６】  前記背面側突出面４ｃと前記蓋体２ｂに対し、それぞれ異なる着色を施せば、単純な矩形イメージとは異なる、独自意匠を創出することができる。（図２７参照）
【００４７】  前記支持スタンド部、及び前記背面側突出面４ｃの形態は、第一実施例の形態に限らず、下記に示すように、色んな構成パターンが可能であり、即ち意匠展開においても同様である。
【００４８】  図８、図９は、第二の実施例の正面図と背面図である。
表示板の形態を、四隅に丸みをつけたカード型としたものである。
平面図、底面図、左側面図、右側面図は第一の実施例と同様に表れる。
【００４９】  図１０は、第三の実旆例の背面図である。
第一実施例の構成に、背面視左側開口状の円弧状板Ｃｂを加えたものである。
前記円弧状板Ｃｂは、前記蓋体２ｂの、背面視右半分を囲むように、頂点部が、前記第一の側面板１Ｓに対し、上端部は前記上面板Ｕに対し、下端部は前記底面板Ｂに対し、それぞれ当接した状態で一体状に成型されている。
正面図、平面図、底面図、左側面図、右側面図は第一の実施例と同様に表れる。
【００５０】  図１１、図１２、図１３、図１４、図１５は、第四実施例の、それぞれ、正面図、平面図、右側面図、左側面図、背面図、である。
第三実施例の構成において、表示板の形状を正方形としたものである。
底面図は、第一実施例の底面図と同様に表れる。
【００５１】  図１６、図１７は、第五実施例の、それぞれ、背面図、左側面図である。
第三実施例の構成から、前記第一側面板１Ｓを省いたものである。
正面図、平面図、右側面図、底面図は、第一実施例のものと同様に表れる。
【００５２】  図１８、図１９、図２０、図２１は、第六実施例の、それぞれ、背面図、左側面図、右側面図、平面図である。
第三実施例の構成から、第一側面板１Ｓと上面板Ｕを省き、前記テープホルダー部２の形成位置を、さらに背面視前記表示板１右辺寄りにし、前記円弧状板Ｃｂの上端部を、背面視前記表示体１左辺側に延長させたものである。
底面図と正面図は、第一実施例のものと同様に表れる。
【００５３】  図２８、２９は、第七、第八実施例の背面図である。
前記背面側突出面４ｃに、白地に対し視認性の高い、赤や黒など強い色を着色すれば、より輪郭が際立ち、単純形状である矩形の視覚的影響を受けず、独自の意匠性を印象づけるのに効果的である。
第七実施例の正面図、底面図、右側面図は第一実施例と同様に表れる。
平面図、左側面図は、第六実施例と同様に表れる。
第八実施例の平面図、底面図、右左の側面図は、第一実施例と同様に表れる。
【００５４】  なお、表示体の縦幅横幅の比率、及び角Ｒ（丸みづけ）の大きさに関しては、任意事項とする。
【００５５】  また、支持スタンド部の背面側突出面と蓋体に対して実施する着色において、選択されるそれぞれの色種に関しても任意であるが、表示体の地の色を白色とし、背面側突出面と蓋体に対する着色を、それぞれ黒とオレンジ色、赤と黄色、黄色と黄緑など、視認性、誘目性などの点で、背景色とのコントラストの効いた配色が望ましい。
【符号の説明】
【００５６】１    表示体
２    テープホルダー部
２ａ  粘着テープ体支持部
２ｂ  蓋体
３    切断部
３ａ  切断刃
３ｂ  切断部左下端部
４    支持スタンド部
４ｃ  背面側突出面
Ｕ    上面板
１Ｓ  第一の側面板
Ｂ    底面板
２Ｓ  第二の側面板
Ｃｂ  円弧状板
【図１】
2010271681.tif 000003
【図２】
2010271681.tif 000004
【図３】
2010271681.tif 000005
【図４】
2010271681.tif 000006
【図５】
2010271681.tif 000007
【図６】
2010271681.tif 000008
【図７】
2010271681.tif 000009
【図８】
2010271681.tif 000010
【図９】
2010271681.tif 000011
【図１０】
2010271681.tif 000012
【図１１】
2010271681.tif 000013
【図１２】
2010271681.tif 000014
【図１３】
2010271681.tif 000015
【図１４】
2010271681.tif 000016
【図１５】
2010271681.tif 000017
【図１６】
2010271681.tif 000018
【図１７】
2010271681.tif 000019
【図１８】
2010271681.tif 000020
【図１９】
2010271681.tif 000021
【図２０】
2010271681.tif 000022
【図２１】
2010271681.tif 000023
【図２２】
2010271681.tif 000024
【図２３】
2010271681.tif 000025
【図２４】
2010271681.tif 000026
【図２５】
2010271681.tif 000027
【図２６】
2010271681.tif 000028
【図２７】
2010271681.tif 000029
【図２８】
2010271681.tif 000030
【図２９】
2010271681.tif 000031